(57)【要約】【課題】宝石本来の輝きを確保しつつ、宝石を取り付けたホルダが使用中に脱落しないようにすること。【解決手段】宝石２を保持するホルダ本体３と、このホルダ本体３の外周面に、この外周面の外側に向かって突出して形成した円環状の埋設部４と、ホルダ本体３の外周面の埋設部４よりも、装着する宝石２の表面に近い側に、前記外周面の外側に向かって突出して形成した円環状の阻止部５と、を一体に成形して宝石用ホルダを構成する。付け爪ｎ等への装着時において、埋設部４は接着剤ｇに埋設されて食い込んだ状態となるため、付け爪ｎ等からの脱落防止作用が確実に発揮される。また、阻止部５が宝石２の表面に接着剤ｇが至るのを阻止するため、この宝石本来の輝きを確保することができる。【選択図】図１
2014217613.tif 000002
【特許請求の範囲】
【請求項１】
宝石（２）を保持するホルダ本体（３）と、このホルダ本体（３）の外周面に、この外周面の外側に向かって突出して形成した埋設部（４）と、前記ホルダ本体（２）の外周面の前記埋設部（４）よりも、装着する宝石（２）の表面に近い側に、前記外周面の外側に向かって突出して形成した阻止部（５）と、を有し、
前記ホルダ本体（３）を所定箇所に固定する接着剤（ｇ）の中に前記埋設部（４）を埋設して、前記ホルダ本体（３）が前記所定箇所から脱落するのを防止するとともに、前記接着剤（ｇ）が装着した宝石（２）の表面側に至るのを前記阻止部（５）で阻止するようにした宝石用ホルダ。
【請求項２】
前記ホルダ本体（３）の内部に、前記宝石（２）を保持する保持部（６）と、前記ホルダ本体（３）の下面とを連通する透孔（７）と、を形成した請求項１に記載の宝石用ホルダ。
【請求項３】
前記埋設部（４）及び前記阻止部（５）を、前記外周面に環状に形成した請求項１又は２に記載の宝石用ホルダ。
【請求項４】
請求項１から３のいずれか一項に記載の宝石用ホルダによって宝石を保持した宝石付きホルダ。
【発明の詳細な説明】
【技術分野】
【０００１】
この発明は、宝石を保持する宝石用ホルダ、及び、そのホルダで宝石を保持した宝石付きホルダに関する。
【背景技術】
【０００２】
例えば、付け爪、又は使用者自身の地爪を宝石で装飾するための構成として、この宝石を宝石用ホルダで保持した上で、このホルダをネイルジェル等の接着剤を用いて前記付け爪等に固定するようにしたものがある。この宝石用ホルダの例を特許文献１及び２を参照して説明する。特許文献１においては、人工爪に装着用凹部を形成し、この装着用凹部に接着剤を入れ、台座（ホルダ）に載置した宝石をこの台座ごと前記装着用凹部に嵌め込んで固定する構成を採用している。また、特許文献２においては、まず、地爪の上にソフトジェルを塗布し、台座に固定した宝石をこの台座ごとこのソフトジェル上に載置し、このソフトジェルを硬化して第１人工爪層を形成する。さらに、この宝石を覆うようにハードジェルを塗布し（トップコート）、このハードジェルを硬化させて第２人工爪層を形成する構成を採用している。
【先行技術文献】
【特許文献】
【０００３】
【特許文献１】特開２０１２−５８８４号公報
【特許文献２】特開２０１０−２１４０８８号公報
【発明の概要】
【発明が解決しようとする課題】
【０００４】
特許文献１の構成においては、工具を使用して、人工爪の表面に装着用凹部を形成するのが一般的である。このようにして形成した凹部の内径は、奥側から出口側に向かうにつれて大きくなる（同文献の図２等を参照）。この凹部形状の場合、接着剤で固定した宝石（台座）に装着用凹部からの引き抜き方向の外力が作用すると、この接着用凹部による係止作用が小さいため台座が容易に外れ、宝石を紛失しやすいという問題が生じる。この装着用凹部の内部に膨径部を形成すればこの問題を解決し得るが、小さな装着用凹部内に工具を用いてそのような形状の穴を形成するのは一般的に難しく、現実的な手法とはいえない。
【０００５】
また、特許文献２の構成のように、宝石の上に第２人工爪層を形成すると、台座が外れにくくなるというメリットがある一方で、宝石を覆う第２人工爪層によって、この宝石本来の輝きが失われるという問題がある。
【０００６】
そこで、この発明は、宝石本来の輝きを確保しつつ、宝石を取り付けたホルダが使用中に脱落しないようにすることを課題とする。
【課題を解決するための手段】
【０００７】
上記の課題を解決するため、この発明は、宝石を保持するホルダ本体と、このホルダ本体の外周面に、この外周面の外側に向かって突出して形成した埋設部と、前記ホルダ本体の外周面の前記埋設部よりも、装着する宝石の表面に近い側に、前記外周面の外側に向かって突出して形成した阻止部と、を有し、前記ホルダ本体を所定箇所に固定する接着剤の中に前記埋設部を埋設して、前記ホルダ本体が前記所定箇所から脱落するのを防止するとともに、前記接着剤が装着した宝石の表面側に至るのを前記阻止部で阻止するようにした宝石用ホルダを構成した。
【０００８】
このように外周面の外側に向かって突出する埋設部を設けると、この埋設部が、硬化した接着剤内に食い込んだ状態となって、宝石の装着中に不用意に脱落する問題を防止することができる。また、阻止部によって接着剤が宝石の表面に至るのを防止することにより、この宝石本来の輝きを確保することができる。また、この宝石用ホルダの装着においては、付け爪や使用者の地爪に接着剤を塗布し、塗布した接着剤の中にホルダ本体の埋設部を埋設すればよいだけなので、この装着に際して装着のための特別な工具（例えば、穴あけ工具）を必要としない。このため、場所を選ばず誰でも簡便にこの宝石用ホルダを装着することができる。
【０００９】
前記構成においては、前記ホルダ本体の内部に、前記宝石を保持する保持部と、前記ホルダ本体の下面とを連通する透孔と、を形成するのがより好ましい。
【００１０】
このように透孔を形成すると、付け爪等に塗布した接着剤が、前記下面側から透孔内に入り込んで宝石の下面側まで到達できる。すると、この透孔を形成しない場合と比較して、ホルダ本体の接着面積が増大して、付け爪等への保持状態が一層安定したものとなる。また、接着剤として光硬化性樹脂（例えば、紫外線硬化性樹脂）を用いる場合、光照射によってこの接着剤を硬化させる必要がある。この透孔を形成することによって、宝石及び透孔を通して、照射した光をホルダ本体の下面側まで到達させることができ、この接着剤の硬化（特に、ホルダ本体の下面側の硬化）をより効率的に行うことができる。
【００１１】
前記各構成においては、前記埋設部及び前記阻止部を、前記外周面に環状に形成するのが好ましい。
【００１２】
このように環状に形成すると、宝石用ホルダにどの方向から外力が作用しても、硬化した接着剤への埋設部の食い込みを一層確実なものとし、この宝石用ホルダが脱落する危険性を小さくすることができる。さらに、接着剤がこの阻止部を超えて宝石の表面側に至るのを確実に防止することができる。
【００１３】
前記各構成における宝石用ホルダに予め宝石を取り付けておき、宝石付きホルダとして流通させることもできる。この宝石付きホルダは、そのホルダ本体を付け爪等に塗布した接着剤に埋設するだけで、特別な工具を用いることなく装着できるので、非常に利便性が高い。
【発明の効果】
【００１４】
この発明によると、宝石の表面のトップコートを形成することなくこの宝石を保持することとしたので、宝石本来の輝きを確保でき、高い商品価値を発揮することができる。しかも、宝石付きホルダが使用中に脱落するのを防止するようにしたので、紛失を気にすることなく安心して装着することができる。さらに、爪に装着するための特別な工具を必要としないため、場所を選ばず誰でも簡便にこの宝石付きホルダを装着することができる。
【図面の簡単な説明】
【００１５】
【図１】この発明に係る宝石付きホルダの第一実施形態を示し、（ａ）は断面図、（ｂ）は平面図
【図２】第一実施形態に係る宝石付きホルダの使用態様を示し、（ａ）は側面から見た部分断面図、（ｂ）は平面図
【図３】この発明に係る宝石付きホルダの第二実施形態を示し、（ａ）は斜視図、（ｂ）は側面から見た部分断面図
【発明を実施するための形態】
【００１６】
この発明に係る宝石付きホルダ１の第一実施形態を図１に、その使用態様を図２にそれぞれ示す。この宝石付きホルダ１に係る宝石用ホルダは、宝石２を保持するホルダ本体３と、このホルダ本体３の外周面に、この外周面の外側に向かって突出して形成した円環状の埋設部４と、ホルダ本体３の外周面の埋設部４よりも、装着する宝石２の表面（通常の使用状態において視認される面）に近い側に、前記外周面の外側に向かって突出して形成した円環状の阻止部５と、を一体に成形したものである。この宝石用ホルダの素材として１８金を使用している。この素材はこれ以外にも適宜選択し得るが、装飾品としての高級感を高めるために、金やプラチナ等の貴金属あるいはそれらの合金を使用することが多い。
【００１７】
この実施形態に係る宝石用ホルダは、ブリリアントカットが施されたダイヤモンド（以下、ダイヤモンドにも宝石と同じ符号２を適宜付する。）を保持するためのものである。ホルダ本体３の内部には、このダイヤモンド２のクラウン２ａの下部、ガードル２ｂ、及びパビリオン２ｃの上部をその周方向の全周に亘って帯状に保持する、断面視「くの字」形の保持部６が形成されている。この保持部６の形状は、クラウン２ａ、ガードル２ｂ、及びパビリオン２ｃの形状（角度や幅等）に整合しており、保持する宝石２のカット形状に合わせて適宜変更される。このホルダ本体３の内部には、保持部６とホルダ本体３の下面とを連通する透孔７が形成されている。ダイヤモンド等の宝石２は、使用者への販売段階で、予め宝石用ホルダに嵌め込まれているのが一般的であるが、例えば装飾品業者向けに、宝石用ホルダ単体で販売されることもあり得る。
【００１８】
宝石付きホルダ１の装着手順を説明する。まず、この宝石付きホルダ１を装着したい付け爪ｎや使用者の地爪ｎの表面に接着剤ｇを塗布する。この接着剤層の厚さは、ホルダ本体３の下端から、埋設部４と阻止部５との間の窪みの位置までの長さに相当する程度の厚さとするのが最も好ましい。この接着剤ｇは、硬化後にホルダ本体３を確実に保持する強度を有するものであれば適宜選択し得るが、この実施形態においては紫外線硬化性樹脂を使用する。
【００１９】
次に、塗布した接着剤ｇの上に宝石付きホルダ１を載置する。すると、この接着剤ｇが前記窪みの位置まで到達し、埋設部４が接着剤ｇの中に完全に埋設された状態となる。このホルダ本体３には円環状の阻止部５が形成されているので、仮に、接着剤層の厚さが、ホルダ本体３の下端から、埋設部４と阻止部５との間の窪みの位置までの長さに相当する厚さよりも厚い場合でも、阻止部５がダイヤモンド２の表面側に接着剤ｇが至るのを確実に阻止する。このため、ダイヤモンド２の表面に接着剤ｇが付着することなく、このダイヤモンド２本来の輝きを発揮することができる。
【００２０】
埋設部４の埋設とともに、ホルダ本体３の下部の透孔７の開口から接着剤ｇが入り込んで、ダイヤモンド２の下面（パビリオン２ｃ）まで到達し、透孔７内に接着剤ｇが満たされた状態となる。この状態で紫外線をダイヤモンド２の表面側から照射すると、紫外線硬化性樹脂からなる接着剤ｇが硬化する。この透孔７を形成することにより、透孔７を形成しない場合と比較して接着剤ｇによるホルダ本体３の接着面積が増大し、付け爪ｎ等の上への宝石付きホルダ１の装着を一層確実なものとすることができる。
【００２１】
このように透孔７を形成して、この透孔７の下部開口にダイヤモンド２の下端のキューレット２ｄが臨むように構成すると、埋設部４の下面とキューレット２ｄをともに付け爪ｎに当接した状態とすることもできる（図１（ａ）を参照）。このように付け爪ｎに宝石付きホルダ１の複数の箇所を当接させることにより、この宝石付きホルダ１の姿勢の安定性が向上する。すると、付け爪ｎへの装着の際に、接着剤ｇが硬化する前においてもホルダ本体３が傾きにくく、容易にその装着作業を行うことができる。
【００２２】
また、ホルダ本体３の下側は、このホルダ本体３の陰となって紫外線の到達が妨げられやすいが、本実施形態のように、保持部６とホルダ本体３の下面とを連通する透孔７を形成しておくことで、ダイヤモンド２及び透孔７を通して、ホルダ本体３の下側まで容易に紫外線を到達させることができる。このため、この接着剤ｇの硬化をより効率的に行うことができ、装着の際の使用者の利便性が大幅に向上する。
【００２３】
しかも、透孔７を形成することにより、ダイヤモンド２のパビリオン２ｃの大部分と、ホルダ本体３とを所定距離だけ離間することができる。このように離間することにより、ダイヤモンド２をクラウン２ａ側から見た際に、このダイヤモンド２を保持するホルダ本体３の色（例えば、ホルダ本体２が金の場合は金色）がこのダイヤモンド２に映り込む（透けて見える）のを防止し、ダイヤモンド２本来の自然な輝きを発揮することができる。
【００２４】
この発明に係る宝石付きホルダ１の第二実施形態を図３に示す。なお、同図（ａ）においては、ホルダ本体３の下部の構造を見やすくするために、このホルダ本体３で保持されているダイヤモンド２の記載を省略している。
【００２５】
この宝石付きホルダ１は、その基本構成は第一実施形態に係るものと同じであるが、埋設部４の下面側に、径方向に延びる複数のカット溝８を形成した点で異なっている。このようにカット溝８を形成することにより、このカット溝８を通して、ホルダ本体３の外側の接着剤ｇをスムーズにこのホルダ本体３の内部に導くことができる。このため、誰でも簡便にかつ確実にこの宝石付きホルダ１を装着することができる。この実施形態では、約１０本のＶ字形のカット溝８が、周方向に亘って連続して形成された構成としたが、このカット溝８の本数や形状はこれに限定されるものではなく、接着剤ｇをホルダ本体３の内部にスムーズに導くことができる限りにおいて、適宜変更することができる。
【００２６】
上記の各実施形態における宝石用ホルダに形成した埋設部４や阻止部５の形状は、あくまでも一例を示しているに過ぎず、宝石２本来の輝きを確保しつつ、宝石２を取り付けた宝石付きホルダ１が使用中に脱落しないようにする、という本願発明の課題を解決し得る限りにおいて、適宜変更することができる。例えば、埋設部４や阻止部５を円環状とせず、部分的に切れ目を形成した構成とすることも考えられる。また、当然ながら宝石２の種類は、ダイヤモンド２に限定されず、他の種類の宝石２を嵌め込んだ構成とすることもできる。
【符号の説明】
【００２７】
１  宝石付きホルダ
２  宝石（ダイヤモンド）
２ａ  クラウン
２ｂ  ガードル
２ｃ  パビリオン
２ｄ  キューレット
３  ホルダ本体
４  埋設部
５  阻止部
６  保持部
７  透孔
８  カット溝
ｇ  接着剤
ｎ  付け爪、地爪
【図１】
2014217613.tif 000003
【図２】
2014217613.tif 000004
【図３】
2014217613.tif 000005